(57)【要約】【課題】光学センサの汚れを防止することで光学センサの誤検知を防止し、正確な画像品質調整を行うことができる画像形成装置を提供する。【解決手段】本発明の画像形成装置１０は、感光体３、用紙搬送路Ｓおよび光学センサユニット１００を備える。感光体３は、表面に静電潜像が形成される。用紙搬送路Ｓは、感光体３へ記録媒体を搬送するために配置された用紙搬送ガイド２２，２４で形成される。光学センサユニット１００は、光学センサ１１０、ケーシング１２０および開閉部材１３０を有する。光学センサ１１０は、感光体３の表面に形成された基準トナー像の濃度を検出する。ケーシング１２０は、光学センサ１１０を収納し、光学センサ１１０の発光路を確保するための発光口１１３および光学センサの受光路を確保するための受光口１１４を設ける。開閉部材１３０は、ケーシング１２０の発光口１１３および受光口１１４をカバーする。【選択図】図２
2009258524.tif 000002
【特許請求の範囲】
【請求項１】
表面に静電潜像が形成される像担持体と、
前記像担持体へ記録媒体を案内するために配置された搬送ガイドで形成される搬送路と、
前記像担持体の表面に形成された基準トナー像の濃度を検出する光学センサと、前記光学センサを収納し、該光学センサの発光路を確保するための発光口および該光学センサの受光路を確保するための受光口を設けるケーシングと、前記ケーシングの前記発光口および前記受光口をカバーする開閉部材と、を有する光学センサユニットと、
を備え、
前記光学センサユニットは、前記開閉部材を前記搬送路に向け、かつ、該搬送路の近傍に配置され、
前記開閉部材は、該開閉部材の一部または全部を前記搬送路に突出させ、かつ、搬送される記録媒体が該開閉部材に接触することによって閉じる画像形成装置。
【請求項２】
前記開閉部材は、記録媒体の後端が該開閉部材を通過したら開く請求項１に記載の画像形成装置。
【請求項３】
前記光学センサユニットは、搬送可能な複数サイズの記録媒体のうちの最小幅の記録媒体の幅内に配置される請求項１または２に記載の画像形成装置。
【請求項４】
前記開閉部材は、閉じた時において前記搬送路に対向する面にリブを設ける請求項１〜３のいずれか１項に記載の画像形成装置。
【請求項５】
前記開閉部材の開いた状態の保持力は、記録媒体の搬送の押圧力より小さい請求項１〜４のいずれか１項に記載の画像形成装置。
【請求項６】
前記光学センサユニットは、前記搬送路を挟んで前記像担持体の反対側に配置される請求項１〜５のいずれか１項に記載の画像形成装置。
【請求項７】
前記搬送路を挟んで前記像担持体の反対側に、ジャムした記録媒体を取り除くための開閉可能なドアカバーをさらに備え、
前記光学センサユニットは、前記ドアカバーに配置される請求項６に記載の画像形成装置。
【請求項８】
前記開閉部材は、開いた状態において、前記開閉部材の記録媒体の搬送方向上流端が前記搬送ガイドの前記搬送路に対向する面から該搬送路に突出しない位置に位置し、前記開閉部材の記録媒体の搬送方向下流端が前記搬送ガイドの前記搬送路に対向する面から該搬送路に突出する位置に位置する請求項１〜７のいずれか１項に記載の画像形成装置。
【請求項９】
前記搬送ガイドは、前記搬送路に対向する面にガイドリブを設ける請求項１〜７のいずれか１項に記載の画像形成装置。
【請求項１０】
前記開閉部材は、開いた状態において、前記開閉部材の記録媒体の搬送方向上流端が前記ガイドリブの前記搬送路に対向する面から該搬送路に突出しない位置に位置し、前記開閉部材の記録媒体の搬送方向下流端が前記ガイドリブの前記搬送路に対向する面から該搬送路に突出する位置に位置する請求項９に記載の画像形成装置。
【発明の詳細な説明】
【技術分野】
【０００１】
本発明は、複写機、プリンタおよびファクシミリ装置等の電子写真プロセスの画像形成を行う画像形成装置に関する。
【背景技術】
【０００２】
複写機やレーザプリンター等の電子写真プロセスによって画像形成を行う画像形成装置に用いられる感光体は、温度等の環境変化により表面電位の変動を生じる。また、感光体は、電子写真プロセスの繰り返しによってクリーニングブレードとの当接等の機械的ストレスが蓄積し、摩耗により表面の感光層の膜圧が減少する膜減りを生じ、表面電位が低下する。
【０００３】
一方、電子写真プロセスに用いられる現像剤は、粉体であるために電気的特性に湿度変化の影響を受けやすく、例えば、湿度が低下すると含有水分量の低下によって電気抵抗値が上昇し、現像剤に含まれるトナーの帯電量が高くなる。また、現像剤は、現像装置内における攪拌によって機械的ストレスを受け、これによっても電気的特性の変化を生じる。
【０００４】
このような環境の変化や経時変化による感光体の表面電位の変動や現像剤の電気的特性の変化は、電子写真プロセスによって形成される画像の濃度変化を招来し、画質を低下させる原因となる。
【０００５】
そこで、従来の画像形成装置では、感光体表面におけるトナー像の濃度を検出する光学センサを備え、光学センサによるトナー像の濃度の検出結果に基づいて電子写真プロセスのプロセス条件を制御するようにしたものがある。例えば、トナーパッチと呼ばれる矩形の基準トナー像を、それぞれ異なるプロセス条件下で感光体表面に複数形成し、複数のトナーパッチのそれぞれについての光学センサによる濃度の検出結果に基づいて、帯電チャージャのグリッド電圧、現像バイアスおよびレーザ露光の駆動電圧等を変更してプロセス条件を制御する画像形成装置が提案されている（例えば、特許文献１参照。）。
【特許文献１】特開平０７−１２０９８９号公報
【発明の開示】
【発明が解決しようとする課題】
【０００６】
しかしながら、このような従来のように光学センサを配置した画像形成装置においては、以下のような課題がある。
【０００７】
すなわち、特許文献１のように、転写後の残留トナーを感光体から掻き落として回収するクリーニングユニットの付近に光学センサを配置すると、残留トナーが光学センサに付着し、光学センサ汚れによる光学センサの誤検知が発生し、画像品質調整に影響を及ぼすことがある。また、その光学センサ汚れを防止するためのカバーもない。
【０００８】
この課題に対して、サービスマンによってメンテナンス時に光学センサを清掃する方法があるが、サービスマンが常時出向いて清掃するわけにはいかない。
【０００９】
本発明の目的は、光学センサの汚れを防止することで光学センサの誤検知を防止し、正確な画像品質調整を行うことができる画像形成装置を提供することにある。
【課題を解決するための手段】
【００１０】
本発明の画像形成装置は、像担持体、搬送路および光学センサユニットを備える。像担持体は、表面に静電潜像が形成される。搬送路は、像担持体へ記録媒体を搬送するために配置された搬送ガイドで形成される。光学センサユニットは、光学センサ、ケーシングおよび開閉部材を有する。光学センサは、像担持体の表面に形成された基準トナー像の濃度を検出する。ケーシングは、光学センサを収納し、光学センサの発光路を確保するための発光口および光学センサの受光路を確保するための受光口を設ける。開閉部材は、ケーシングの発光口および受光口をカバーする。
【００１１】
本発明の画像形成装置における光学センサユニットは、開閉部材を搬送路に向け、かつ、搬送路の近傍に配置される。開閉部材は、開閉部材の一部または全部を搬送路に突出させ、かつ、搬送される記録媒体が開閉部材に接触することによって閉じる。
【００１２】
この構成では、光学センサユニットが開閉部材を搬送路に向け、かつ、搬送路の近傍に配置されるため、開閉部材が記録媒体と接触できる位置に位置する。また、開閉部材が記録媒体の接触によって閉じるため、記録媒体の搬送によって生じる紙粉や、転写による浮遊したトナーが、ケーシングの発光口および受光口に付着し、光学センサの発光路および受光路を遮蔽することを防止することができる。
【００１３】
この構成において、開閉部材は、記録媒体の後端が開閉部材を通過したら開くと好ましい。
【００１４】
この構成では、記録媒体が開閉部材を通過していない間に開閉部材は開いているため、開閉部材に遮光されることなく光学センサにより像担持体表面におけるトナー像の濃度を検出することができるので、トナー像の検出結果に基づいて画像品質調整を行うことができる。
【００１５】
また、光学センサユニットは、搬送可能な複数サイズの記録媒体のうちの最小幅の記録媒体の幅内に配置されると好ましい。
【００１６】
この構成では、幅が最大の記録媒体だけではなく搬送される全ての記録媒体により、光学センサを覆う開閉部材を閉じることができる。
【００１７】
さらに、開閉部材は、閉じた時において搬送路に対向する面にリブを設けると好ましい。
【００１８】
この構成では、記録媒体が開閉部材を通過中に発生する搬送音の低減を図ることができるとともに、搬送される記録媒体がリブに接触することにより、開閉部材が閉じやすくなる。
【００１９】
そのうえ、開閉部材の開いた状態の保持力は、記録媒体の搬送の押圧力より小さいと好ましい。
【００２０】
この構成では、記録媒体がジャムしたり記録媒体の先端がカールすることなしに記録媒体によって開閉部材を閉じることができる。
【００２１】
加えて、光学センサユニットは、搬送路を挟んで像担持体の反対側に配置されると好ましい。
【００２２】
この構成では、搬送路を挟んで像担持体側には、画像形成プロセスに欠かせない帯電手段、現像ユニット、クリーニングユニットおよび除電ランプなどの複数のユニットを配置する必要があり、さらにその領域に光学センサユニットを配置することは設計上の自由度が少なくなる。そのため、比較的に配置の自由度がある、搬送路を挟んで像担持体の反対側に光学センサユニットを配置することで、画像形成装置の小型化を図ることができる。
【００２３】
この構成において、本発明の画像形成装置は、搬送路を挟んで像担持体の反対側に、ジャムした記録媒体を取り除くための開閉可能なドアカバーをさらに備え、光学センサユニットは、ドアカバーに配置されると好ましい。
【００２４】
この構成では、搬送された記録媒体が、光学センサユニット上以外の転写位置でジャムした場合、開閉部材は開いた状態となっているが、そのままの状態で放置した場合、ジャム時の紙粉やトナーが光学センサに付着して汚れる。しかし、ジャム発生時、光学センサユニットを取り付けたジャム解除用ドアカバーを画像形成装置本体から開くことにより、ジャム時の紙粉やトナーは光学センサに付着し汚れることがない。
【００２５】
また、開閉部材は、開いた状態において、開閉部材の記録媒体の搬送方向上流端が搬送ガイドの搬送路に対向する面から搬送路に突出しない位置に位置し、開閉部材の記録媒体の搬送方向下流端が搬送ガイドの搬送路に対向する面から搬送路に突出する位置に位置すると好ましい。
【００２６】
この構成では、搬送される記録媒体が開閉部材の記録媒体の搬送方向上流端に接触することがないため、記録媒体のジャムや記録媒体先端の折れの発生を防止することができる。また、搬送される記録媒体が開閉部材の記録媒体の搬送方向下流端に接触するため、開閉部材を記録媒体によって閉じることができる。
【００２７】
さらに、搬送ガイドは、搬送路に対向する面にガイドリブを設けると好ましい。
【００２８】
この構成では、搬送される記録媒体を光学センサユニットに近づけるように搬送向きを変えることができるので、開閉部材が閉じやすくなる。
【００２９】
そのうえ、開閉部材は、開いた状態において、開閉部材の記録媒体の搬送方向上流端がガイドリブの搬送路に対向する面から搬送路に突出しない位置に位置し、開閉部材の記録媒体の搬送方向下流端がガイドリブの搬送路に対向する面から搬送路に突出する位置に位置すると好ましい。
【００３０】
この構成では、搬送される記録媒体が開閉部材の記録媒体の搬送方向上流端に接触することがないため、記録媒体のジャムや記録媒体先端の折れの発生を防止することができる。また、搬送される記録媒体が開閉部材の記録媒体の搬送方向下流端に接触するため、開閉部材を記録媒体によって閉じることができる。
【発明の効果】
【００３１】
本発明における画像形成装置は、光学センサの汚れを防止することで光学センサの誤検知を防止し、正確な画像品質調整を行うことができる。
【発明を実施するための最良の形態】
【００３２】
以下、本発明の最良の実施形態に係る画像形成装置を、図面を参照にしつつ詳細に説明する。
【００３３】
図１は、本発明の実施形態に係る画像形成装置の構成を示す図である。
【００３４】
画像形成装置１０は、画像読取装置にて読み取られた画像の記録出力はもとより、パーソナルコンピュータ等の外部接続機器が接続されると、この外部接続機器からの画像データを記録出力する。
【００３５】
画像形成装置１０は、感光体（像担持体）３を中心に画像形成プロセスの各機能を担う各プロセスユニットが配置されている。感光体３の周囲には、帯電手段５、光走査ユニット１１、現像ユニット２、転写手段６、クリーニングユニット４および除電ランプ１２等が順次配置されている。
【００３６】
帯電手段５は、感光体３表面を均一に帯電させる。光走査ユニット１１は、均一に帯電された感光体３上を露光走査して静電潜像を書き込む。現像ユニット２は、光走査ユニット１１により書き込まれた静電潜像を現像剤補給容器７から供給される現像剤により顕像化する。転写手段６は、感光体３上に顕像化された画像を用紙（記録媒体）上に転写する。クリーニングユニット４は、感光体３上に残留した現像剤を除去して感光体３上に新たな画像を記録することを可能にする。除電ランプ１２は、感光体３表面の電荷を除去する。
【００３７】
また、用紙搬送路Ｓ上における、感光体３および転写手段６の間に位置する転写位置の上流側には、所定のタイミングで用紙を転写位置に案内するレジストローラ１４が配置されている。一方、用紙搬送路Ｓ上における転写位置の下流側には、用紙上に付着した未定着の現像剤像を用紙上に定着させる定着装置８が配置されている。
【００３８】
画像形成装置１０の下部には、画像形成装置１０本体内に内装された用紙供給トレイ９４が配置されており、用紙供給トレイ９４近傍に用紙供給トレイ９４内に収容される最上位の用紙を分離して用紙搬送路に導くピックアップローラ１６が配置されている。
【００３９】
用紙供給トレイ９４は、用紙を収容する用紙収容トレイであり、用紙供給トレイ９４に収容された用紙が１枚ずつ分離され、画像形成部に供給される。用紙供給トレイ９４からピックアップローラ１６により１枚ずつ分離供給された用紙は、用紙搬送路Ｓ上においてレジストローラ１４により感光体３の周囲で行われる画像形成プロセスの動作とのタイミングが計られ、転写手段６と感光体３との間の転写位置に順次供給される。この転写位置において、感光体３上に形成された現像剤像が転写手段６の転写電圧により用紙上に転写される。なお、この用紙供給トレイ９４への用紙の補給は、画像形成装置１０の正面から用紙供給トレイ９４を引き出して行う。
【００４０】
画像形成装置１０の下面には、周辺機器として準備されている多段の用紙供給トレイを有する用紙供給装置および大量の用紙を収容可能とした用紙供給装置から送られてくる用紙を受け入れ画像形成部に向かって順次供給するための用紙受口１７ａ〜１７ｃが設けられている。
【００４１】
転写位置を通過した用紙は、定着装置８に導かれる。定着装置８では、画像が転写された用紙が順次受け入れられ、定着ローラ８１と加圧ローラ８２とにより熱と圧力によって用紙上に転写された未定着の現像画像が定着される。画像が記録された用紙は、搬送ローラ２５によりさらに用紙搬送路Ｓの下流側に搬送され、切替ゲート９に導かれる。
【００４２】
本発明に関する光学センサユニット１００は、レジストローラ１４と転写手段６との間で、用紙搬送路Ｓを挟んで感光体３の反対側に設けられている。
【００４３】
図２は、本発明の実施形態に係る画像形成装置においての光学センサユニットの配置位置を示す図である。
【００４４】
図２は、図１の背面から見た図である。光学センサユニット１００は、レジストローラ１４と、感光体３と帯電手段６との転写位置と、の間に設けている。また、開閉部材１３０を用紙搬送路Ｓ側に向け、開閉部材１３０の一部を用紙搬送路Ｓに突出させている。この位置は、画像品質調整時、画像品質調整のための感光体３に形成したトナーパターンを読み取ることが可能な位置である。なお、開閉部材１３０の全部を用紙搬送路Ｓに突出させてもよい。光学センサユニット１００の位置はこれに限定するものではなく、画像品質調整のための感光体３に形成したトナーパターンを読み取ることができる位置であり、かつ、搬送された用紙により、開閉部材１３０が閉じることができる位置であればよい。また、光学センサユニット１００は、用紙搬送ガイド２４に取り付けることで、用紙搬送ガイド２４を搬送する用紙と開閉部材１３０との位置が決まり、用紙によって開閉部材１３０が発光口１１３および受光口１１４を覆うことができる。しかし、これに限定するものではなく、開閉部材１３０が発光口１１３および受光口１１４を覆うことができる位置であればよい。
【００４５】
光学センサユニット１００は、用紙搬送路Ｓを挟んで感光体３の反対側に配置されている。この理由は、用紙搬送路Ｓを挟んで感光体３側の領域には、画像形成プロセスに欠かせない帯電手段５、現像装置２、クリーニングユニット４および除電ランプ１２等、複数のユニットを配置する必要があり、さらにその領域に光学センサユニット１００を配置することは設計上の自由度が少なくなる。そのため、比較的に配置の自由度がある、用紙搬送路Ｓを挟んで感光体３の反対側の領域に光学センサユニット１００を配置している。この位置に光学センサユニット１００を配置することにより、画像形成装置１０の小型化が図れる。
【００４６】
用紙搬送ガイド２２，２４には、それぞれガイドリブ２６，２８を設けている。ガイドリブ２６，２８を設けることで、送られた用紙を開閉部材１３０に近づけるように、用紙の搬送向きを変えることで、開閉部材１３０を確実に閉じることができる。
【００４７】
光学センサユニット１００は、開閉部材１３０の開いた状態において、開閉部材１３０の用紙搬送方向上流端がガイドリブ２８の用紙搬送路Ｓに対向する面から用紙搬送路Ｓに突出しない位置に位置し、開閉部材１３０の用紙搬送方向下流端がガイドリブ２８の用紙搬送路Ｓに対向する面から用紙搬送路Ｓに突出する位置に位置するように配置されている。このことは、開閉部材１３０の用紙搬送方向上流端がガイドリブ２８より下側に位置すると、搬送された用紙がその開閉部材１３０の側面に接触することなく、用紙ジャムや用紙先端の紙折れの発生を防止することができるからである。同時に、搬送された用紙が開閉部材１３０の用紙搬送方向下流端に接触するので、開閉部材１３０を閉じることができる。
【００４８】
なお、用紙搬送ガイド２２，２４には、ガイドリブを設けなくてもよい。この場合には、光学センサユニット１００は、開閉部材１３０の開いた状態において、開閉部材１３０の用紙搬送方向上流端が用紙搬送ガイド２４の用紙搬送路Ｓに対向する面から用紙搬送路Ｓに突出しない位置に位置し、開閉部材１３０の用紙搬送方向下流端が用紙搬送ガイド２４の用紙搬送路Ｓに対向する面から用紙搬送路Ｓに突出する位置に位置するように配置されている。
【００４９】
図３は、本発明の実施形態に係る画像形成装置においての光学センサユニットの構成の一部を示す図である。
【００５０】
光学センサ基板ユニット１０２は、光学センサユニット１００の構成部分である。光学センサ基板ユニット１０２は、光学センサ１１０およびケーシング１２０を備える。
【００５１】
光学センサ１１０は、発光センサ１１１および受光センサ１１２からなる。光学センサ１１０は、樹脂製のケーシング１２０に収納されている。ケーシング１２０において、発光センサ１１１から発せられる光の発光路を確保するための発光口１１３が、受光センサ１１２に受け取られる光の受光路を確保するための受光口１１４が、それぞれ設けられている。光学センサ１１０およびケーシング１２０は、一般に市販されているものである。
【００５２】
光学センサ１１０は、発光センサ１１１から感光体３に光を照射し、感光体３からの反射光を受光センサ１１２で受け取り、感光体３の表面に形成された基準トナー像の濃度を検出する。
【００５３】
図４は、本発明の実施形態に係る画像形成装置においての光学センサユニットの構成の一部を示す図である。
【００５４】
開閉部材ユニット１０４は、光学センサユニット１００の構成部分である。開閉部材ユニット１０４は、開閉部材１３０、スプリング１４２および開閉部材取付板１５０から構成されている。
【００５５】
開閉部材１３０には、閉じた時において用紙搬送路Ｓに対向する面に、用紙が接触するリブ１３２が設けられている。リブ１３２が設けられることにより、用紙の搬送中における搬送音の低減を図ることができるとともに、搬送される用紙がリブ１３２に接触することにより、確実に開閉部材１３０が閉じる。
【００５６】
開閉部材１３０の両側にはシャフト１４０を挿入する丸穴があり、開閉部材取付板１５０にも同様にシャフト１４０を挿入する丸穴がある。スプリング１４２をシャフト１４０に挿入し、シャフト１４０を開閉部材１３０および開閉部材取付板１５０の丸穴に挿入する。シャフト１４０の抜け防止として、シャフト１４０の両側にＥリング溝があり、その溝にＥリングにて固定する。開閉部材ユニット１０４を光学センサ基板ユニット１０２に取り付ける方法として、ビスや、開閉部材取付板１５０にもたせた爪などを用いる。
【００５７】
開閉部材１３０は、シャフト１４０を支点に、光学センサ基板ユニット１０２に対して、開閉することができる。また、開閉部材ユニット１０４に取り付けているスプリング１４２により、通常は、開閉部材１３０は開いており、開閉部材１３０に微弱な力を加えることで、開閉部材１３０は閉じる機構となっている。スプリング１４２の保持力は５ｇ以下程度であり、用紙先端が開閉部材１３０に接触しながら搬送されたとき、用紙ジャムや用紙先端がカールすることなく正常に用紙搬送が行われる程度のスプリング力である。
【００５８】
開閉部材１３０は、搬送されてきた用紙が接触することによって閉じ、用紙の後端が開閉部材１３０を通過したら開く。用紙が開閉部材１３０を通過していない間、すなわち用紙が搬送されていない間は、開閉部材１３０は開いているため、光学センサ１１０は開閉部材１３０に遮光されることなく、感光体３の表面におけるトナー像の濃度を検出することができるので、トナー像の濃度の検出結果に基づいて画像品質調整を行うことができる。
【００５９】
図５は、本発明の実施形態に係る画像形成装置においての光学センサユニットの配置位置を示す図である。
【００６０】
光学センサユニット１００は、搬送可能な複数サイズの用紙のうちの最小幅用紙Ｐ１の幅内に配置されている。このことは、最大幅用紙Ｐ２だけではなく、搬送可能な全ての用紙により、開閉部材１３０を閉じることができ、発光口１１３および受光口１１４を覆うことができる。搬送される用紙サイズとして、Ａ３、Ａ４縦、Ｂ５縦、Ａ５縦等があるが、各用紙の搬送が搬送幅方向においてセンター基準で搬送される構成の場合には、センター軸５０に光学センサユニット１００の中心がくるように配置してもよい。
【００６１】
図６は、本発明の実施形態に係る画像形成装置においての用紙搬送時の様子を示す図である。
【００６２】
図６は、図１の背面から見た図である。図６（Ａ）は、用紙Ｐがレジストローラ１４を通過中の図である。その後用紙Ｐは、用紙搬送ガイド２２に設けられたガイドリブ２６に沿って開閉部材１３０へと向かう。ここで、用紙Ｐの腰が弱ければ、用紙Ｐは、ガイドリブ２８に沿って開閉部材１３０へと向かう。
【００６３】
図６（Ｂ）は、用紙Ｐが感光体３と転写手段６との間を通過する手前の図である。用紙搬送ガイド２２、用紙搬送ガイド２４間を通過中の用紙Ｐは、ガイドリブ２６に案内されてリブ１３２に到達する。用紙Ｐは、その腰圧によって開閉部材１３０を閉じさせ、発光口１１３および受光口１１４を覆う。開閉部材１３０は、スプリング１４２によって保持されているため、用紙Ｐが開閉部材１３０上を通過すると、開閉部材１３０は開く。
【００６４】
図７は、本発明の実施形態に係る画像形成装置においての用紙通過に伴う光学センサユニットの動きを示す図である。
【００６５】
図７（Ａ）は、用紙Ｐが通過する前の光学センサユニット１００の様子を示す図である。開閉部材１３０が開いており、感光体３の表面に形成されたトナーパッチを読み取ることができる状態である。
【００６６】
図７（Ｂ）は、用紙Ｐが通過する直前の光学センサユニット１００の様子を示す図である。用紙Ｐの先端が開閉部材１３０の用紙搬送方向上流端よりも上にきているため、用紙Ｐが開閉部材１３０の側面に接触することによって生じる用紙ジャムや用紙Ｐの先端の紙折れを防止することができる。
【００６７】
図７（Ｃ）は、用紙Ｐがリブ１３２を押圧している様子を示す図である。開閉部材１３０は、スプリング１４２によって微弱な力で支えられているだけなので、用紙Ｐの押圧によって容易に閉じることができる。
【００６８】
図７（Ｄ）は、用紙Ｐが光学センサユニット１００を通過している図である。前述したように、開閉部材１３０は、スプリング１４２によって微弱な力で支えられているだけであるため、用紙Ｐは開閉部材１３０によってカールなどを起こすことがない。
【００６９】
図７（Ｅ）は、用紙Ｐが通過したあとの光学センサユニット１００の様子を示す図である。用紙Ｐが通過すると、開閉部材１３０は再び開き、感光体３の表面に形成されたトナーパッチを読み取ることができる状態となる。
【００７０】
図８は、本発明の実施形態に係る画像形成装置においてのドアカバーユニットを移動させた図である。
【００７１】
図８は、図１の背面から見た図である。画像形成装置１０には、ドアカバー４２が備えられている。ドアカバー４２には、転写手段６や光学センサユニット１００が取り付けられている。ドアカバー４２は、用紙ジャムが発生し、用紙が用紙搬送路Ｓ上で滞留した場合、滞留した用紙を取り除くために設けられた開閉可能な部材である。
【００７２】
用紙ジャム発生時、用紙が光学センサユニット１００上にあれば、開閉部材１３０は閉じているので、光学センサ１１０に紙粉やトナーが付着することはない。しかし、搬送された用紙が、光学センサユニット１００上以外の、例えば転写位置でジャムした場合、開閉部材１３０は開いた状態となっているが、そのままの状態で放置した場合、ジャム時の紙粉やトナーが光学センサ１１０に付着し汚れる。ジャム発生時には、光学センサユニット１００を取り付けたドアカバー４２を画像形成装置１０から開くことによって、ジャム時の紙粉やトナーが光学センサ１１０に付着して汚すことはない。
【００７３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７４】
【図１】本発明の実施形態に係る画像形成装置の構成を示す図である。
【図２】本発明の実施形態に係る画像形成装置においての光学センサユニットの配置位置を示す図である。
【図３】本発明の実施形態に係る画像形成装置においての光学センサユニットの構成の一部を示す図である。
【図４】本発明の実施形態に係る画像形成装置においての光学センサユニットの構成の一部を示す図である。
【図５】本発明の実施形態に係る画像形成装置においての光学センサユニットの配置位置を示す図である。
【図６】本発明の実施形態に係る画像形成装置においての用紙搬送時の様子を示す図である。
【図７】本発明の実施形態に係る画像形成装置においての用紙通過に伴う光学センサユニットの動きを示す図である。
【図８】本発明の実施形態に係る画像形成装置においてのドアカバーユニットを移動させた図である。
【符号の説明】
【００７５】
Ｓ−用紙搬送路
３−感光体
１０−画像形成装置
２２，２４−用紙搬送ガイド
２６，２８−ガイドリブ
４２−ドアカバー
１００−光学センサユニット
１１０−光学センサ
１１３−発光口
１１４−受光口
１２０−ケーシング
１３０−開閉部材
１３２−リブ
【図１】
2009258524.tif 000003
【図２】
2009258524.tif 000004
【図３】
2009258524.tif 000005
【図４】
2009258524.tif 000006
【図５】
2009258524.tif 000007
【図６】
2009258524.tif 000008
【図７】
2009258524.tif 000009
【図８】
2009258524.tif 000010